(57)【特許請求の範囲】
【請求項１】
口部と、該口部に連設される有底円筒状の胴部とを備え、ブロー成形により該口部以外の部分が延伸された外郭ボトルを形成する外プリフォームと、該外プリフォームの口部の内側に配設される円筒状の内口部と、該内口部に連設されて該外プリフォームの胴部の内側に配置される有底円筒状の内胴部とを備え、ブロー成形により該内口部以外の部分が延伸されて薄肉化され、内容物の減少に伴ってその容積を減少させて変形する内容器体を、該外郭ボトルの内部に形成する内プリフォームと、
該外プリフォームの口部と該内プリフォームの内口部との間に形成された通気路とを備えるブロー成形多重ボトル用プリフォームであって、
該内プリフォームは、該内口部の下端部に外表面から該内口部の径方向内方へ向かって形成される凹入段差部を備え、
該通気路は、該凹入段差部に開口し、
該凹入段差部は、ブロー成形時に該外プリフォームの延伸開始領域との間に空隙部を形成可能であることを特徴とするブロー成形多重ボトル用プリフォーム。
【請求項２】
請求項１記載のブロー成形多重ボトル用プリフォームにおいて、前記内プリフォームは、前記ブロー成形時に前記外プリフォームが径方向に変形し始める部分に臨む位置に前記凹入段差部を備えることを特徴とするブロー成形多重ボトル用プリフォーム。
【請求項３】
請求項１又は請求項２記載のブロー成形多重ボトル用プリフォームにおいて、前記通気路は、前記内口部の外表面に形成された第１の縦溝からなることを特徴とするブロー成形多重ボトル用プリフォーム。
【請求項４】
請求項１又は請求項２記載のブロー成形多重ボトル用プリフォームにおいて、前記通気路は、前記外プリフォームの口部の内表面に形成された第２の縦溝からなることを特徴とするブロー成形多重ボトル用プリフォーム。
【請求項５】
請求項１又は請求項２記載のブロー成形多重ボトル用プリフォームにおいて、
前記内プリフォームは、前記内口部の外表面から径方向外側に鍔状に張り出し前記外プリフォームの口部の内表面に当接する少なくとも１つの鍔状部と、最も上部に位置する該鍔状部の上方で該内口部の外表面と該外プリフォームの口部の内表面との間に間隙を形成する薄肉部とを備え、
前記通気路は、該間隙と該鍔状部の上下の空間を連通する連通部とからなり、
前記凹入段差部は、該内プリフォームの最も下部に位置する該鍔状部の下方に形成されていることを特徴とするブロー成形多重ボトル用プリフォーム。
【請求項６】
口部と該口部に連設される胴部とを備える外郭ボトルと、
該外郭ボトルの口部の内側に配設される円筒状の内口部と、該内口部に連設されて該外郭ボトルの内側に配設される内容器体本体とを備える内容器体と、
該外郭ボトルの口部と該内容器体の内口部との間に形成された通気路とを備える多重ボトルにおいて、
該内口部の下端部に外表面から該内口部の径方向内方へ向かって形成される凹入段差部と、
該凹入段差部と該外郭ボトルとの間に形成され該通気路に連通する空隙部とを備え、
該内容器体本体は、内容物の減少に伴ってその容積を減少させて変形可能であることを特徴とする多重ボトル。
【発明の詳細な説明】
【技術分野】
【０００１】
本発明は、ブロー成形多重ボトル用プリフォーム及び多重ボトルに関する。
【背景技術】
【０００２】
従来、外郭ボトルの内部に内容器体を配置し、該外郭ボトルと該内容器体との間に外気が導入されるようにした合成樹脂製多重ボトル（以下、「多重ボトル」と略記する）が知られている。前記内容器体は、前記外郭ボトルとの間に導入される外気の圧力により、内容物の減少に伴ってその容積を減少させて変形する（以下、「減容変形」ということがある）。
【０００３】
前記多重ボトルを形成するために、外プリフォームの内側に内プリフォームを配設した多重プリフォームが知られている（例えば、特許文献１参照）。
【０００４】
前記多重プリフォームは、外プリフォームの内側に内プリフォームを配設した状態で加熱されることにより軟化し、ブロー成形により口部以外の部分が延伸されて薄肉化された胴部及び底部が形成される。この結果、外郭ボトルの内部に内容器体が配置されている前記多重ボトルを得ることができる。
【０００５】
特許文献１記載の前記多重プリフォームは、内プリフォームの外表面又は外プリフォームの内表面に開口部から底部に至る縦溝が形成されている。前記多重プリフォームのブロー成形により形成された前記多重ボトルでは、その胴部ではブロー成形時の加熱と圧力とにより前記縦溝が消滅するが、その口部は延伸されることがないので該縦溝が残存し、残存した該縦溝により通気路が形成される。
【０００６】
そこで、前記多重ボトルでは、内容器体の内容物が減少したときに、前記通気路から外郭ボトルと内容器体との間に導入される外気により、外郭ボトルと内容器体とが容易に剥離し、内容器体が減容変形することができるとされている。
【先行技術文献】
【特許文献】
【０００７】
【特許文献１】特開平６−３９９０６号公報
【発明の概要】
【発明が解決しようとする課題】
【０００８】
しかしながら、特許文献１に記載の多重プリフォームでは、ブロー成形により多重ボトルを形成したときに、外プリフォームの延伸開始領域で通気路が閉塞して、外気を導入しても外郭ボトルと内容器体とを剥離させることができないことがあるという不都合がある。
【０００９】
本発明は、かかる不都合を解消して、ブロー成形により多重ボトルを形成したときに、外郭ボトルと内容器体との間に外気を導入して、外郭ボトルと内容器体とを確実に剥離させることができるブロー成形多重ボトル用プリフォームを提供することを目的とする。
【００１０】
また、本発明の目的は、外郭ボトルと内容器体との間に外気を導入して、外郭ボトルと内容器体とを確実に剥離させることができる多重ボトルを提供することにもある。
【課題を解決するための手段】
【００１１】
本発明者らは、特許文献１に記載の多重プリフォームから形成された多重ボトルで、ブロー成形時に前記通気路が閉塞することがある理由について、鋭意検討した。この結果、前記多重プリフォームのブロー成形により形成される多重ボトルでは、口部と胴部との間に延伸が開始される延伸開始領域があり、該延伸開始領域はブロー成形時に加熱されて軟化するものの殆ど延伸されないため胴部よりも厚肉の状態となる一方、ブロー成形時の圧力により前記通気路が消滅し、外郭ボトルと内容器体とが密着することを知見した。
【００１２】
前記延伸開始領域は胴部よりも厚肉であるので、密着した外郭ボトルと内容器体とは口部の前記通気路から外気が導入されても容易に剥離せず、この部分で該通気路が閉塞することになるものと考えられる。
【００１３】
本発明者らは、前記知見に基づいてさらに検討を重ね、本発明に到達した。そこで、本発明のブロー成形多重ボトル用プリフォームは、前記目的を達成するために、口部と、該口部に連設される有底円筒状の胴部とを備え、ブロー成形により該口部以外の部分が延伸された外郭ボトルを形成する外プリフォームと、該外プリフォームの口部の内側に配設される円筒状の内口部と、該内口部に連設されて該外プリフォームの胴部の内側に配置される有底円筒状の内胴部とを備え、ブロー成形により該内口部以外の部分が延伸されて薄肉化され、内容物の減少に伴ってその容積を減少させて変形する内容器体を、該外郭ボトルの内部に形成する内プリフォームと、該外プリフォームの口部と該内プリフォームの内口部との間に形成された通気路とを備えるブロー成形多重ボトル用プリフォームであって、該内プリフォームは、該内口部の下端部に外表面から該内口部の径方向内方へ向かって形成される凹入段差部を備え、該通気路は、該凹入段差部に開口し、該凹入段差部は、ブロー成形時に該外プリフォームの延伸開始領域との間に空隙部を形成可能であることを特徴とする。
【００１４】
本発明のブロー成形多重ボトル用プリフォームは、前記外プリフォームの内側に前記内プリフォームを配設した状態で加熱することにより軟化される。本発明のブロー成形多重ボトル用プリフォームは、次いでブロー成形により、前記外プリフォームの口部以外の部分が延伸されて前記外郭ボトルが形成される一方、前記内プリフォームの内口部以外の部分が延伸され薄肉化された内容器体が該外郭ボトルの内部に形成される。
【００１５】
本発明のブロー成形多重ボトル用プリフォームは、前記外プリフォームの口部と前記内プリフォームの内口部との間に通気路が形成されているが、該口部と該内口部とは前記ブロー成形の際に延伸されることがないので、該通気路はブロー成形後にもそのまま残存している。また、本発明のブロー成形多重ボトル用プリフォームの内プリフォームは、前記内口部の下端部に外表面から該内口部の内方へ向かって形成される凹入段差部を備えている。そこで、ブロー成形時には、前記凹入段差部と前記外プリフォームの延伸開始領域との間に空隙部が形成される。
【００１６】
ここで、前記通気路は前記凹入段差部に開口しているので、本発明のブロー成形多重ボトル用プリフォームでは、ブロー成形により多重ボトルを形成したときに、該通気路は前記空隙部に連通することとなり、閉塞されることがない。従って、本発明のブロー成形多重ボトル用プリフォームによれば、ブロー成形により多重ボトルを形成したときに、前記通気路を介して外郭ボトルと内容器体との間に形成された前記空隙部に外気を導入することができ、外郭ボトルと内容器体とを確実に剥離させることができる。
【００１７】
本発明のブロー成形多重ボトル用プリフォームにおいて、前記内プリフォームは、具体的には、前記ブロー成形時に前記外プリフォームが径方向に変形し始める部分（以下、変形開始部分と略記する）に臨む位置に前記凹入段差部を備える構成とすることができる。前記凹入段差部が、前記変形開始部分より上方に位置するときには、前記凹入段差部に開口する前記通気路がブロー成形時の加熱と圧力とにより閉塞される。また、前記凹入段差部が、前記変形開始部分より下方に位置するときには、ブロー成形により前記凹入段差部に開口する前記通気路を起点として亀裂が発生することがある。
【００１８】
また、本発明のブロー成形多重ボトル用プリフォームにおいて、前記通気路は、前記外プリフォームの口部と前記内プリフォームの内口部との間に形成されていればよく、例えば、前記内口部の外表面に形成された第１の縦溝からなる構成であってもよく、前記外プリフォームの口部の内表面に形成された第２の縦溝からなる構成であってもよい。
【００１９】
また、本発明のブロー成形多重ボトル用プリフォームにおいて、前記内プリフォームは、前記内口部の外表面から径方向外側に鍔状に張り出し前記外プリフォームの口部の内表面に当接する少なくとも１つの鍔状部と、最も上部に位置する該鍔状部の上方で該内口部の外表面と該外プリフォームの口部の内表面との間に間隙を形成する薄肉部とを備え、前記通気路は、該間隙と該鍔状部の上下の空間を連通する連通部とからなり、前記凹入段差部は、該内プリフォームの最も下部に位置する該鍔状部の下方に形成されていてもよい。
【００２０】
本発明のブロー成形多重ボトル用プリフォームは、前記薄肉部により前記内プリフォームを形成する樹脂を節約することができる。このとき、本発明のブロー成形多重ボトル用プリフォームは、前記鍔状部を前記外プリフォームの口部の内表面に当接させ、前記外プリフォームの口部の内表面と前記内口部の外表面との間に前記間隙を形成することにより、前記通気路の一部を構成することができる。前記鍔状部は、前記連通部を備えているので、前記通気路による外気の導入を妨げることがない。
【００２１】
前記鍔状部は、前記外プリフォームの口部の内表面に当接して前記内口部の外表面との間に形成された間隙を保持することができればよく、例えば、該内口部の外表面に複数設けられていてもよく、該内口部の外表面の下端部に１つだけ設けるようにしてもよい。
【００２２】
また、前記内プリフォームが前記鍔状部を備えるときには、該内プリフォームの最も下部に位置する該鍔状部の下方に前記凹入段差部が形成されている。この結果、前記内プリフォームは、ブロー成形時に、前記鍔状部により前記凹入段差部と前記外プリフォームの延伸開始領域との間に前記空隙部を形成することができる。
【００２３】
また、本発明の多重ボトルは、口部と該口部に連設される胴部とを備える外郭ボトルと、該外郭ボトルの口部の内側に配設される円筒状の内口部と、該内口部に連設されて該外郭ボトルの内側に配設され、内容物の減少に伴ってその容積を減少させて変形可能である内容器体本体とを備える内容器体と、該外郭ボトルの口部と該内容器体の内口部との間に形成された通気路とを備える多重ボトルにおいて、該内口部の下端部に外表面から該内口部の径方向内方へ向かって形成される凹入段差部と、該凹入段差部と該外郭ボトルとの間に形成され該通気路に連通する空隙部とを備えることを特徴とする。
【００２４】
本発明の多重ボトルは、前記外郭ボトルの口部と前記内容器体の内口部との間に前記通気路を備え、該通気路は前記凹入段差部と前記外郭ボトルとの間に形成された空隙部に連通している。
【００２５】
そこで、本発明の多重ボトルでは、前記内容器体本体に収容されている内容物が減少すると、前記通気路を介して前記空隙部に外気が導入されることにより、前記外郭ボトルと前記内容器体とを確実に剥離させることができる。この結果、本発明の多重ボトルでは、前記外郭ボトルと前記内容器体との間に導入された外気により、前記内容器体本体を内容物の減少に伴ってその容積を減少させて変形可能とすることができる。
【図面の簡単な説明】
【００２６】
【図１】本発明のブロー成形多重ボトル用プリフォームの一実施形態を示す側面図。
【図２】図１のII−II線断面図。
【図３】図１、２に示す内プリフォームの構成を示す側面図。
【図４】図３のIV−IV線断面図。
【図５】Ａは図３に示す本発明のブロー成形多重ボトル用プリフォームを用いてブロー成形により多重ボトルを製造する方法の初期段階を示す模式的断面図、Ｂはブロー成形工程を示す模式的断面図、Ｃはブロー成形工程の終了段階を示す模式的断面図。
【図６】図３に示す本発明のブロー成形多重ボトル用プリフォームを用いてブロー成形された本発明の多重ボトルを示す断面図。
【図７】本発明のブロー成形多重ボトル用プリフォームにおける内プリフォームの他の実施形態を示す側面図。
【図８】図７のVIII−VIII線断面図。
【図９】Ａは図７のIX−IX線断面の一態様を示す断面図、Ｂは図７のIX−IX線断面の他の態様を示す断面図。
【発明を実施するための形態】
【００２７】
次に、添付の図面を参照しながら本発明の実施の形態についてさらに詳しく説明する。
【００２８】
図１及び図２に示すように、本実施形態のブロー成形多重ボトル用プリフォーム１は、外プリフォーム２と、外プリフォーム２の内側に配設される内プリフォーム３とからなる。
【００２９】
外プリフォーム２は、ポリエチレンテレフタレート等のポリエステル系合成樹脂を材料として射出成形により形成することができ、口部４と、口部４に連設される有底円筒状の胴部５とを備えている。外プリフォーム２の口部４の外周面にはねじ部６及びサポートリング７が形成されている。
【００３０】
一方、内プリフォーム３は、ポリエチレンテレフタレート等のポリエステル系合成樹脂を材料として射出成形により形成することができ、外プリフォーム２の口部４の内側に配設される円筒状の内口部８と、内口部８に連設された有底円筒状の内胴部９とを備えている。内胴部９は内口部８より外径が小さく形成されており、内口部８の下端部の内胴部９との境界に凹入段差部１０が形成されている。凹入段差部１０は、内口部８の下端部に外表面から該内口部８の径方向内方へ向かって形成されている。
【００３１】
尚、図１及び図２に示す形態において、凹入段差部１０は内口部８の外表面から径方向内方へ向かう水平面として形成されているが、傾斜面であってもよく、多段形状であってもよい。
【００３２】
後述するように、外プリフォーム２は、ブロー成形されることにより、口部４以外の部分が延伸されて外郭ボトルを形成する。このとき、外プリフォーム２は、サポートリング７がブロー成形装置により支持されてブロー成形されるので、サポートリング７の下方に径方向に変形し始める変形開始部分１１を含む延伸開始領域を備えており、内プリフォーム３の凹入段差部１０は変形開始部分１１に臨む位置に備えられている。
【００３３】
図３及び図４に示すように、本実施形態のブロー成形多重ボトル用プリフォーム１において、内プリフォーム３は、内口部８の上端に、径方向外側に鍔状に張り出す鍔状係止部１２が形成されており、鍔状係止部１２の下面には横溝１３が形成されている。
【００３４】
また、内口部８の外表面には内プリフォーム３の軸線に沿って上下方向に延びる縦溝１４が形成されており、縦溝１４は横溝１３に連接される一方、凹入段差部１０に開口し、通気路１５を形成している。通気路１５は鍔状係止部１２の外周面で開放されている。本実施形態の内プリフォーム３では、通気路１５は内プリフォーム３の外周面の４ヶ所に等間隔で設けられているが、その数は４ヶ所より少なくてもよく、多くてもよい。
【００３５】
内プリフォーム３は、図１及び図２に示すように、外プリフォーム２の内部に配設されたときに、鍔状係止部１２の下面が外プリフォーム２の口部４の上端面に当接して係止される。この結果、内プリフォーム３の内口部８が外プリフォーム２の口部４の内側に配設され、口部４と内口部８との間に通気路１５が形成される。また、凹入段差部１０が、前述のように、変形開始部分１１に臨む位置に確実に位置決めされる。
【００３６】
次に、図５Ａ〜図５Ｃを参照して、本実施形態のブロー成形多重ボトル用プリフォーム１を用いてブロー成形により多重ボトルを製造する方法について説明する。
【００３７】
前記ブロー成形に用いるブロー成形装置は周知のものであり、図５Ａ〜図５Ｃにおいて要部を示すように、金型２１と、ブローノズル２２と、ストレッチロッド２３とを備えている。
【００３８】
金型２１は、外郭ボトル２４の口部２５から下の胴部２６の外形に沿う形状の成形部２７と、外プリフォーム２の口部４のサポートリング７の上方を露出させて支持する支持開口部２８とを備えている。金型２１は図示しない割型構造とされており、左右側と底部側とで分割することによって成形後の多重ボトル２９が脱型できるようになっている。
【００３９】
ブローノズル２２は、図示しない昇降手段により昇降され、Ｏリング３０を介して内プリフォーム３の鍔状係止部１２の上端面に気密に当接する。ブローノズル２２にはストレッチロッド２３が挿通され、ストレッチロッド２３の外周面とブローノズル２２の内周面との間には、図示しない高圧気体供給手段に接続された気体通路３１が形成されている。
【００４０】
ストレッチロッド２３は、図示しない進退駆動手段によってブロー成形時に前進される。尚、図５Ａにおいては、ストレッチロッド２３がブローノズル２２の先端から突出しているが、ストレッチロッド２３は未使用時には後退されてブローノズル２２の内方（図中上方）に収納されている。
【００４１】
上述の構成のブロー成形装置によって、多重ボトル２９を製造するときには、まず、図５Ａに示すように、内プリフォーム３が内側に配設された外プリフォーム２を金型２１にセットした後、内プリフォーム３の内口部８にブローノズル２２を接続する。尚、外プリフォーム２及び内プリフォーム３は、金型２１にセットされるに先立ってブロー成形可能な温度に加熱される。
【００４２】
次いで、図５Ｂに示すようにブローノズル２２の気体通路３１から内プリフォーム３内に加圧空気を導入し、同時にストレッチロッド２３を下方に伸長させる。これにより、内プリフォーム３が膨張して未膨張状態の外プリフォーム２の内面に密着する。
【００４３】
続いて、図５Ｂに示す状態から、更に内プリフォーム３内に加圧空気を導入しつつ、ストレッチロッド２３を下方に伸長させると、膨張した内プリフォーム３の内胴部９により外プリフォーム２の胴部５が広げられ、図５Ｃに示すように、金型２１の支持開口部２８の形状に沿って径方向に変形し始め、この部分が変形開始部分１１となる。そして、外プリフォーム２の胴部５が金型２１の成形部２７により外郭ボトル２４の口部２５から下の胴部２６の形状に成形される。また、内プリフォーム３の内胴部９は、外郭ボトル２４の胴部２６の内面形状に沿う形状に成形され、内口部３２と内容器体本体３３とを備える内容器体３４が形成される。この結果、図６に示す多重ボトル２９が得られる。
【００４４】
次に、図６を参照して、多重ボトル２９について説明する。多重ボトル２９は、外郭ボトル２４と、外郭ボトル２４の内部に配置された内容器体３４とからなる。
【００４５】
外郭ボトル２４は、前述のように外プリフォーム２のブロー成形により形成されており、外プリフォーム２の口部４と全く同一形状の口部２５と、口部２５に連設される胴部２６とを備えている。外プリフォーム２では、サポートリング７の下方に延伸開始領域があり、該延伸開始領域内に外プリフォーム２が支持開口部２８の形状に沿って径方向に変形を開始する変形開始部分１１が存在している。
【００４６】
内容器体３４は、前述のように内プリフォーム３のブロー成形により形成されており、内プリフォーム３の内口部８と全く同一形状の内口部３２と、内口部３２に連設された内容器体本体３３とを備えている。この結果、多重ボトル２９は、口部２５と内口部３２との間に形成された通気路１５を備えている。
【００４７】
また、内容器体３４は内口部３２の下端部に外表面から内口部３２の径方向内方へ向かって形成される凹入段差部１０を備えている。そして、多重ボトル２９では、凹入段差部１０と外郭ボトル２４の変形開始部分１１との間に空隙部３５が形成されており、空隙部３５に通気路１５が連通している。
【００４８】
この結果、多重ボトル２９では、内容器体本体３３に収容されている内容物が使用等により減少すると、その減少に伴って通気路１５を介して空隙部３５に外気が導入され、導入された外気により外郭ボトル２４の胴部２６と内容器体３４の内容器体本体３３とを容易に剥離させることができ、内容器体本体３３を減容変形可能とすることができる。
【００４９】
次に、図７〜図９を参照して、内プリフォーム３の他の態様について説明する。図７及び図８に示す態様において、内プリフォーム３は、内口部８の外表面４１が全周に亘って、外プリフォーム２の口部４の内表面４２（図８に仮想線で示す）との間に所定の間隙４３を存する薄肉部４４とされている。
【００５０】
このとき、内プリフォーム３は、鍔状係止部１２の下面に横溝１３を備えており、間隙４３は横溝１３に連通して、通気路１５を構成している。また、内プリフォーム３は、内口部８の下端部の外表面４１から径方向外側に鍔状に張り出す鍔状部４５を備えている。鍔状部４５は外プリフォーム２のサポートリング７の下方で、口部４の内表面４２に当接することにより、間隙４３を保持しており、鍔状部４５の下部が凹入段差部１０となっている。
【００５１】
また、鍔状部４５は、その上下の空間を連通する連通部４６として、図９Ａに示す縦溝４６ａ又は、図９Ｂに示す貫通孔４６ｂを備えている。
【００５２】
図７〜図９に示す内プリフォーム３によれば、図１及び図２に示す内プリフォーム３と同様にブロー成形により内容器体３４を形成したときに、内口部３２に形成された横溝１３と間隙４３とからなる通気路１５及び鍔状部４５に形成された連通部４６を介して、凹入段差部１０と変形開始部分１１との間に形成された空隙部３５に外気が導入され、導入された外気により外郭ボトル２４の胴部２６と内容器体３４の内容器体本体３３とを容易に剥離させることができる。
【００５３】
尚、図７及び図８では、内口部８の下端部に鍔状部４５を１つだけ備える構成を示しているが、間隙４３を保持するために必要であれば、内口部８の下端部から鍔状係止部１２までの間に複数の鍔状部４５を備えるようにしてもよい。
【００５４】
また、本実施形態のブロー成形多重ボトル用プリフォーム１において、内プリフォーム３は、鍔状係止部１２を備えなくてもよく、この場合通気路１５は内口部８の上端面で開放されている。また、この場合には、内プリフォーム３は、内口部８が外プリフォーム２の口部４に係止されて位置決めされるようになっていてもよい。
【００５５】
また、本実施形態のブロー成形多重ボトル用プリフォーム１では、内プリフォーム３の内口部８の外表面に形成された縦溝１４を鍔状係止部１２の下面の横溝１３に連接させて通気路１５としているが、縦溝１４に代えて、外プリフォーム２の口部４の内表面に縦溝を形成するようにしてもよい。
【００５６】
また、本実施形態の多重ボトル２９において、外郭ボトル２４は外圧に対して変形することのない剛性を備えていてもよく、外圧により変形したときに原形復帰可能な柔軟性を備えていてもよい。
【符号の説明】
【００５７】
１…ブロー成形多重ボトル用プリフォーム、  ２…外プリフォーム、  ３…内プリフォーム、  ４…口部、  ５…胴部、  ８…内口部、  ９…内胴部、  １０…凹入段差部、  １５…通気路、  ２４…外郭ボトル、  ３４…内容器体、  ３５…空隙部。
【図１】
0006788389.tif 000002
【図２】
0006788389.tif 000003
【図３】
0006788389.tif 000004
【図４】
0006788389.tif 000005
【図５】
0006788389.tif 000006
【図６】
0006788389.tif 000007
【図７】
0006788389.tif 000008
【図８】
0006788389.tif 000009
【図９】
0006788389.tif 000010